(57)【要約】【課題】  長時間安全に使用できる電子蝋燭皿を提供する。【解決手段】  上部ふた１、ベース板２、回路板３、下部ふた４、シリコン炎５及び発光デバイス６で組み立てられている。上部ふた１は、中央に通し穴１１が設けられている。ベース板２は、上部ふた１の開口端のプレートに取り付けられている。回路板３は、ベース板２上に結合され、電子装置が設置されている。下部ふた４は、上部ふた１と対を形成している。シリコン炎５は、透明あるいは半透明の炎の形状を呈している。発光デバイス６は、回路板３と連結導通し、通し孔１１を貫通して埋め込まれ、シリコン炎５と結合している。ベース板２が上部ふた１に取り付けられ、下部ふた４と対で嵌められ、シリコン炎５が通し孔１１に植え付けて設置され、回路板３の電子装置の働きでシリコン炎３は本物に迫るシミュレーション的燭光を発する。【選択図】    図２
0003116656.tif 000002
【実用新案登録請求の範囲】
【請求項１】
上部ふた、ベース板、回路板、下部ふた、シリコン炎及び発光デバイスから構成され、
上部ふたはプラスチックまたは金属などの防水性の材質で作られ、中央に通し穴が設けられ、
ベース板は上部ふたの開口端のプレートに取り付けられ、
回路板はベース板上に結合され、電子装置が設置され、
下部ふたはプラスチック、金属あるいはその他防水性の材質で作られ、上部ふたと対を形成し、
シリコン炎はシリコンラバーを凝固して形成した透明あるいは半透明で炎の形状を呈し、
発光デバイスは回路板と連結導通し、発光デバイスは上部ふたの通し孔を貫通して埋め込まれ、シリコン炎と結合し、
これらの部品の組合わせを利用して、回路板が設けられているベース板が上部ふたに取り付けられ、下部ふたと対で嵌められ、発光デバイスが埋め込まれているシリコン炎が上部ふたの中央の通し孔に植え付けて設置され、回路板の電子装置の働きでシリコン炎は本物に迫るシミュレーション的燭光を発することを特徴とする電子蝋燭皿。
【請求項２】
シリコン炎は、底側に一つのめくら孔が設けられ、発光デバイスを埋め込み結合することを特徴とする請求項１記載の電子蝋燭皿。
【請求項３】
ベース板の内部には、電池、スイッチデバイス及び電池ケースの蓋があることを特徴とする請求項１記載の電子蝋燭皿。
【請求項４】
回路板には、一つの接続コンセントが設けられ、発光デバイスのピンと接続コンセントとの連結導通が形成されていることを特徴とする請求項１記載の電子蝋燭皿。
【請求項５】
前記回路板は、連結線、ＩＣ制御デバイス、接続コンセント、その他結合される電子装置を備えており、前記連結線は電池とスイッチデバイスに連結されていることを特徴とする請求項１記載の電子蝋燭皿。
【請求項６】
発光デバイスとシリコン炎は、一体で成形されて被覆結合されていることを特徴とする請求項１記載の電子蝋燭皿。
【考案の詳細な説明】
【技術分野】
【０００１】
本考案は、電子蝋燭皿の設計を提供するもので、特に、シリコン炎に発光デバイス（ＬＥＤ）を被覆利用した電子蝋燭皿で、回路板の電子装置を通じてシリコン炎で本物に迫るシミュレーション燭光を発するものである。
【背景技術】
【０００２】
伝統的蝋燭は、蝋燭本体及び棉質の灯心から組成されており、灯心に点火した後、蝋の融化により燃焼を持続する。一般によく見られるミニ扁平型の蝋燭皿は、一つの皿状の金属受け座に蝋の材料を充填し、一つの棉質の灯心を植え付けて組成されており、主なのは、被加熱物の下方から加熱を進め、あるいは、水面に浮かべて特殊なムード及び効果を醸し出すことを供するが、ムードを醸す蝋燭皿では蝋の材料に限度があるため、燃焼を維持する時間も長くなく、且つ、容易に風に吹かれて火が消えてしまい、又、使用の際の不注意で火傷を起こし、あるいは、火災などの危険等の意外なことが生じる可能性がある。
【０００３】
電子蝋燭を選用できるものが市場にはあるが、それは、通常、本物の蝋材料で構成され、蝋燭本体と電子装置で組成されており、蝋燭本体の灯心が燃焼されて閃光点滅あるいは音楽効果を発生する仕掛けになっているが、蝋材料が燃焼し尽くしてしまった後は効果を失ってしまう。
【考案の開示】
【考案が解決しようとする課題】
【０００４】
本考案の主な目的は、電子蝋燭皿を提供するもので、その組合わせは、上部ふた、ベース板、回路板、下部ふた、シリコン炎及び発光デバイスを包括し、回路板はベース板上に結合され、並びに電池、スイッチ及びベース板は上部ふたに固定して取り付けられ、下部ふたと対の組合わせになっており、特に、上部ふたには一つの通し孔が設けられ、発光デバイスを被覆したシリコン炎が植え付けて固定されており、且つ、発光デバイスのピンは回路板と連結導通しており、スイッチを開ける時、シリコン炎に本物に迫るシミュレーションの燭光を発出させるので、特殊なムード効果を醸し出す蝋燭皿の使用に非常に適しており、しかも長時間にわたって明りが消えることもなく、危険性などもないなどの長所を具えているのが本考案の効果である。
【課題を解決するための手段】
【０００５】
電子蝋燭皿設計で、上部ふた、ベース板、回路板、下部ふた、シリコン炎及び発光デバイスで組立てられており、ベース板には回路板、電池及び一つのスイッチが取り付けられ、並びに上部ふたに付設され、下部ふたと組み合わされ、上部ふたには一つの通し孔が具えられ、発光デバイスを被覆するシリコン炎が固定して植え付けられており、而して、発光デバイスのピンは回路板と連結導通しており、この組合わせによる電子蝋燭皿は、スイッチが入れられる時、回路板の電子装置がシリコン炎になり、本物に迫るシミュレーションの燭光を発するのである。
【考案を実施するための最良の形態】
【０００６】
図１から図３に示すように、本考案の一実施例による電子蝋燭皿の設計の主なものは、上部ふた１、ベース板２、回路板３、下部ふた４、シリコン炎５及び発光デバイス６により組立てられている。上部ふた１は、プラスチック、金属あるいはその他の防水性の材質で作られ、中央には一つの通し孔１１が設けられ、通し孔１１には一つの発光デバイス６（あるいは図４及び図５に示すように、発光デバイス６を被覆して一体としたシリコン炎５）が固定して植え付けられ、中央には一つの突出部１２が設けられて外観の美化を図っている。
【０００７】
ベース板２は、上部ふた１の開口端の板に閉め付けられ、ベース板２には電池２１、スイッチデバイス２２及び電池ケースの蓋２３が設けられている。
回路板３は、ベース板２上に結合され、回路板３には連結線３１、ＩＣ制御デバイス３２、接続コンセント３３あるいはその他選定の電子装置を備え、連結線３１が結合され、電池２１とスイッチデバイス２２に連結されている。
【０００８】
下部ふた４もプラスチック、金屬又はその他の防水性の材質で作られており、上部ふた１と対になって嵌められるようになっている。
シリコン炎５は、シリコンラバーを凝固して透明又は半透明の炎形状が形成されているもので、底側には一つのめくら孔５１が設けられている。
【０００９】
発光デバイス６は、ＬＥＤ発光体を採用し、発光デバイス６のピン６１と回路板３の接続コンセント３３は連結導通を成し、発光デバイス６は上部ふた１の通し孔１１を貫通して埋め込まれ、シリコン炎５のめくら孔５１に結合されている。
【００１０】
上記組合わせを利用した電子蝋燭皿には、回路板３を取り付けたベース板２は上部ふた１に設けられ、更に下部ふた４と対になって嵌められ、発光デバイス６が埋め込まれてシリコン炎５と結合されており、並びに上部ふた１の中央の通し孔１１に植え付けて設置され、スイッチ２２が開かれる時、回路板３の電子装置を通じてシリコン炎５に指令して本物に迫るシミュレーションの燭光を発出するので、本実施例は特殊なムード効果を醸し出す蝋燭皿の使用に非常に適しており、その効果は長時間に及び明りが消えることもなく、危険性などもない長所を具えている。
【００１１】
上記の回路板３の電子装置は、ＩＣ制御デバイス３２に定時的あるいは不定時的の燭光の閃光点滅を設定でき、あるいは、必要な場合には、一組の発声可能なＩＣ制御デバイスを複合して、音楽あるいは特定の音響を同時に発生させることができる。
【００１２】
上記の実施例に掲げる如く、只単に本考案の主要な技術の例について説明を挙げたのみで、それは本考案の主要技術範囲の応用に限らず、例えば、前項技術手段に基づいて簡易な変更あるいは置換えをしたものは、いずれも本考案の技術範囲に属するものと見做すものである。例えば、図４及び図５に示すように、上記の発光デバイス６とシリコン炎５は被覆結合の一体成型を呈していることで、全体の組付けを簡易化している。又、述べたところの回路板３も、需要により任意に電子装置を改変して組合わせることができる。
【図面の簡単な説明】
【００１３】
【図１】本考案の一実施例による電子蝋燭皿を示す斜視図である。
【図２】本考案の一実施例による電子蝋燭皿を示す分解斜視図である。
【図３】本考案の一実施例による電子蝋燭皿を示す断面図である。
【図４】本考案の一実施例による電子蝋燭皿の被覆した発光デバイスをシリコン炎に結合する状態を示す分解斜視図である。
【図５】本考案の一実施例による電子蝋燭皿の発光デバイスを被覆してシリコン炎に結合する状態を示す断面図である。
【符号の説明】
【００１４】
１  上部ふた、２  ベース板、３  回路板、４  下部ふた、５  シリコン炎、６  発光デバイス、１１  通し孔、１２  突出部、２１  電池、２２  スイッチ、２３  電池ケースの蓋、３１  連結線、３２  ＩＣ制御デバイス、３３  接続コンセント、５１  めくら孔、６１  ピン
【図１】
0003116656.tif 000003
【図２】
0003116656.tif 000004
【図３】
0003116656.tif 000005
【図４】
0003116656.tif 000006
【図５】
0003116656.tif 000007